(57)【要約】【課題】浚渫用構造体において、泥土の水中への拡散をさらに抑制でき、かつ、泥土の回収率（水を含む回収量全体に対する泥土の割合）を向上できるようにする。【解決手段】下方に開口する開口部１１を有する箱状に形成されると共に、前記開口部よりも上側において内部に開口する吸込口１２を有する本体ケース２と、前記開口部のうち進行方向後側に位置する後側開口縁部２２から、前記下方に向かうにしたがって進行方向前側に延びる板状の掘込刃３と、前記掘込刃の幅方向両端から少なくとも前記開口部まで延びる一対の側壁部４と、前記開口部のうち進行方向前側に位置する前側開口縁部２１から、進行方向前側に延びる前側延出部５と、を備える浚渫用構造体１を提供する。【選択図】図１
2019120037.tif 000002
【特許請求の範囲】
【請求項１】
下方に開口する開口部を有する箱状に形成されると共に、前記開口部よりも上側において内部に開口する吸込口を有する本体ケースと、
前記開口部のうち進行方向後側に位置する後側開口縁部から、前記下方に向かうにしたがって進行方向前側に延びる板状の掘込刃と、
前記掘込刃の幅方向両端から少なくとも前記開口部まで延びる一対の側壁部と、
前記開口部のうち進行方向前側に位置する前側開口縁部から、進行方向前側に延びる前側延出部と、
を備える浚渫用構造体。
【請求項２】
前記掘込刃は、その延出方向先端が上下方向に移動可能となるように前記本体ケースに取り付けられている請求項１に記載の浚渫用構造体。
【請求項３】
前記掘込刃は、幅方向に延びる軸線を中心として前記本体ケースに対して回転自在に取り付けられている請求項２に記載の浚渫用構造体。
【請求項４】
前記掘込刃は、前記本体ケース内に延びる平板状に形成され、
前記軸線は、前記本体ケース内において前記掘込刃の延長方向の中途部に位置し、
前記吸込口は、前記掘込刃よりも上方において前記本体ケース内に開口し、
前記開口部よりも上側に位置する前記本体ケースの上部が、前記軸線を中心とする円筒内面を有し、
前記掘込刃のうち前記中途部から前記本体ケースの内側に延びる内側部位の先端が、前記円筒内面に沿って移動する請求項３に記載の浚渫用構造体。
【請求項５】
前記開口部の前記後側開口縁部から、進行方向後側に延びる後側延出部をさらに備える請求項１から請求項４のいずれか一項に記載の浚渫用構造体。
【請求項６】
前記開口部が、進行方向における浚渫用構造体の全長の中間よりも進行方向後側に位置する請求項１から請求項５のいずれか一項に記載の浚渫用構造体。
【発明の詳細な説明】
【技術分野】
【０００１】
この発明は、浚渫用構造体に関する。
【背景技術】
【０００２】
従来、湖沼（水沼、沼、池）等の水底に集積した放射性物質等の有害物質を除去するために、浚渫装置が用いられている（例えば特許文献１参照）。
特許文献１には、浚渫装置として、進行方向前側に開口する箱状に形成され、進行方向において下面が上面に対して後退して位置する浚渫用構造体（浚渫用取込口構造体）を用いることが開示されている。また、特許文献１には、浚渫用構造体のうち開口の下面先端に水底にある泥土の表層を削り取る掘込刃を取り付けた構成が開示されている。
この浚渫用構造体は、水底において進行させることで、掘込刃によって削り取られた泥土の表層を開口から取り込む。特許文献１には、上記構成により、泥土の表層を回収する際に、泥土の水中への拡散（泥土の舞い上がり）を抑制することを図ることが記載されている。
【先行技術文献】
【特許文献】
【０００３】
【特許文献１】特開２０１６−１１８０８８号公報
【発明の概要】
【発明が解決しようとする課題】
【０００４】
しかしながら、上記従来の浚渫用構造体では、進行方向前端に配された掘込刃によって泥土の表層を削り取るため、依然として泥土が水中に拡散する（舞い上がる）可能性があり、好ましくない。
また、上記従来の浚渫用構造体は進行方向前側に開口していることで、掘込刃によって削り取られた泥土と共に多くの水が浚渫用構造体の内側に入り込んでしまう。このため、泥土の回収率（水を含む回収量全体に対する泥土の回収割合）が低い、という問題もある。
【０００５】
本発明は、上述した事情に鑑みたものであって、泥土の水中への拡散をさらに抑制でき、かつ、泥土の回収率を向上できる浚渫用構造体を提供することを目的とする。
【課題を解決するための手段】
【０００６】
本発明に係る浚渫用構造体は、下方に開口する開口部を有する箱状に形成されると共に、前記開口部よりも上側において内部に開口する吸込口を有する本体ケースと、前記開口部のうち進行方向後側に位置する後側開口縁部から、前記下方に向かうにしたがって進行方向前側に延びる板状の掘込刃と、前記掘込刃の幅方向両端から少なくとも前記開口部まで延びる一対の側壁部と、前記開口部のうち進行方向前側に位置する前側開口縁部から、進行方向前側に延びる前側延出部と、を備える。
【０００７】
上記構成の浚渫用構造体を水底において進行させた際には、掘込刃によって削り取られた水底の表層の泥土が、掘込刃上に載せられ、開口部から本体ケース内に回収される。この際、掘込刃によって削られる水底の表層の泥土は、本体ケースよりも進行方向前側に位置する前側延出部によって覆われる。これにより、掘込刃によって削られる水底の表層の泥土が水中で舞い上がることを抑制できる。また、掘込刃の幅方向両端に配された一対の側壁部によって、掘込刃上の泥土が掘込刃の幅方向両端から水中にこぼれて舞い上がることも防止できる。したがって、泥土の水中への拡散を好適に抑制できる。
【０００８】
また、上記構成の浚渫用構造体を水底において進行させる際には、本体ケースの開口部が水底側（下方）に向く。また、開口部よりも進行方向前側に位置する水底の表層の泥土が前側延出部によって覆われる。このため、開口部から本体ケース内に水が入り込むことを抑制できる。また、掘込刃の幅方向両端と本体ケースの開口部との隙間が一対の側壁部によって覆われることで、水が本体ケースの開口部との隙間から本体ケース内に入り込むことも防止できる。以上のことから、掘込刃によって削られた泥土と共に本体ケース内に入り込む水の量を減らすことができる。したがって、泥土の回収率を向上できる。
【０００９】
前記浚渫用構造体において、前記掘込刃は、その延出方向先端が上下方向に移動可能となるように前記本体ケースに取り付けられてもよい。
【００１０】
また、前記浚渫用構造体において、前記掘込刃は、幅方向に延びる軸線を中心として前記本体ケースに対して回転自在に取り付けられてもよい。
【００１１】
また、前記浚渫用構造体において、前記掘込刃は、前記本体ケース内に延びる平板状に形成され、前記軸線は、前記本体ケース内において前記掘込刃の延長方向の中途部に位置し、前記吸込口は、前記掘込刃よりも上方において前記本体ケース内に開口し、前記開口部よりも上側に位置する前記本体ケースの上部が、前記軸線を中心とする円筒内面を有し、前記掘込刃のうち前記中途部から前記本体ケースの内側に延びる内側部位の先端が、前記円筒内面に沿って移動してもよい。
【００１２】
また、前記浚渫用構造体は、前記開口部の前記後側開口縁部から、進行方向後側に延びる後側延出部をさらに備えてもよい。
【００１３】
また、前記浚渫用構造体において、前記開口部が、進行方向における浚渫用構造体の全長の中間よりも進行方向後側に位置してもよい。
【発明の効果】
【００１４】
本発明によれば、泥土の水中への拡散をさらに抑制でき、かつ、泥土の回収率を向上できる。
【図面の簡単な説明】
【００１５】
【図１】本発明の一実施形態に係る浚渫用構造体であり、（ａ）は上面図、（ｂ）は側面図である。
【図２】図１のＡ−Ａ矢視断面図である。
【図３】図１のＢ−Ｂ矢視断面図である。
【図４】図１−３の浚渫用構造体を含む浚渫装置を示す図である。
【発明を実施するための形態】
【００１６】
図１−４を参照して本発明の一実施形態について説明する。
図４に示すように、この実施形態に係る浚渫用構造体１は、湖沼等の水底ＷＢにおいて進行させることで、水底ＷＢの表層の泥土を浚い取るものである。図１−３に示すように、浚渫用構造体１は、本体ケース２と、掘込刃３と、一対の側壁部４，４と、前側延出部５と、を備える。
以下では、図１において右から左に向かう方向を浚渫用構造体１の進行方向前側として説明し、逆方向を浚渫用構造体１の進行方向後側として説明する。また、図１（ａ）における上下方向、図１（ｂ）における紙面垂直方向を、上記の進行方向に直交する浚渫用構造体１の幅方向として説明する。また、図１（ａ）における紙面垂直方向、図１（ｂ）における上下方向を、上記の進行方向及び幅方向に直交する浚渫用構造体１の上下方向として説明する。
【００１７】
本体ケース２は、下方に開口する開口部１１を有する箱状に形成されている。また、本体ケース２は、開口部１１よりも上側において本体ケース２の内部（以下、本体ケース２内とも呼ぶ。）に開口する吸込口１２を有する。本実施形態において、吸込口１２は後述する掘込刃３よりも上方において本体ケース２内に開口している。吸込口１２には、吸込管１０１の一端が接続される。吸込管１０１の他端には、図４に示すように、泥土や水を吸引する吸引ポンプ（不図示）や泥土や水を回収する回収容器（不図示）を含む回収部１０２が接続される。
【００１８】
図１−３に示すように、本実施形態の本体ケース２は、開口部１１を含むケース底部１３と、開口部１１よりも上側に位置してケース底部１３の上方を覆うケース上部１４（本体ケース２の上部）と、を備える。
【００１９】
ケース底部１３は、任意の形状に形成されてよい。本実施形態のケース底部１３は、平板状に形成されている。具体的に、本実施形態のケース底部１３は、幅方向を長手方向とし、進行方向を短手方向とする帯板状に形成されている。
開口部１１は、ケース底部１３の板厚方向に貫通して形成されている。開口部１１は、例えばケース底部１３の全体に形成されてもよいが、本実施形態ではケース底部１３のうち進行方向前側の端部に寄せて形成されている。また、本実施形態の開口部１１は、ケース底部１３の幅方向全体にわたって形成されている。
【００２０】
ケース上部１４は、任意の形状に形成されてよい。本実施形態のケース上部１４は、幅方向を軸とする円筒内面１５を有する。円筒内面１５は、幅方向から見て下方に開口する略半円状に形成されている（特に図３参照）。また、ケース上部１４は、幅方向における円筒内面１５の両端の開口を覆う一対の内側面１６，１６を有する。本実施形態において、内側面１６は幅方向に直交する面となっている。
【００２１】
具体的に、本実施形態のケース上部１４は、円筒内面１５を含む半円筒壁部１７と、幅方向（軸方向）における半円筒壁部１７の両端部に配されて各内側面１６，１６を含む一対のケース側壁部１８，１８と、を備える。半円筒壁部１７の周方向の第一端部は、ケース底部１３のうち進行方向前側の端部に配され、開口部１１のうち進行方向前側（図１において左側）に位置する前側開口縁部２１を構成している。半円筒壁部１７の周方向の第二端部は、ケース底部１３のうち進行方向後側の端部に接続されている。
【００２２】
本実施形態における本体ケース２の吸込口１２は、ケース上部１４に形成されている。具体的に、吸込口１２は半円筒壁部１７の上端部に形成されている。また、吸込口１２は幅方向における半円筒壁部１７の中間に位置している。具体的に、本実施形態の吸込口１２は、本体ケース２の半円筒壁部１７に取り付けられたパッキン１９によって構成されている。
【００２３】
掘込刃３は、少なくとも本体ケース２の開口部１１のうち進行方向後側（図１において右側）に位置する後側開口縁部２２から、下方に向かうにしたがって進行方向前側に延びる板状に形成されている。
本体ケース２の下方において進行方向前側に延びる掘込刃３の延出方向先端３１（以下、刃先３１とも呼ぶ。）は、例えば本体ケース２の開口部１１のうち進行方向前側（図１において左側）に位置する前側開口縁部２１よりも進行方向前側に位置してよい。本実施形態において、掘込刃３の刃先３１は、開口部１１の前側開口縁部２１から進行方向前側に突出しないように位置する。
【００２４】
本実施形態の掘込刃３は、その刃先３１が本体ケース２に対して上下方向に移動可能となるように本体ケース２に取り付けられている。掘込刃３は、例えばその全体が上下方向に平行移動するように本体ケース２に取り付けられてよい。本実施形態の掘込刃３は、幅方向に延びる軸線Ｃ１（以下、回転軸線Ｃ１とも呼ぶ。）を中心として本体ケース２に対して回転自在に取り付けられている。
【００２５】
また、本実施形態の掘込刃３は、本体ケース２内にも延びる平板状に形成されている。具体的に、掘込刃３は幅方向を長手方向とする帯板状に形成されている。掘込刃３は、開口部１１の幅方向全体にわたって形成されている。
図３に示すように、掘込刃３の回転軸線Ｃ１は、本体ケース２内において掘込刃３の延長方向（図３において左下から右上に向かう方向）の中途部に位置する。掘込刃３の回転軸線Ｃ１は、例えば掘込刃３の内部に位置してもよいが、本実施形態では掘込刃３の外側に位置している。より具体的に掘込刃３の回転軸線Ｃ１は、掘込刃３よりも上方に位置している。
【００２６】
より具体的に、本実施形態の回転軸線Ｃ１は、進行方向及び上下方向において本体ケース２の開口部１１の後側開口縁部２２の近くに位置する。このため、本実施形態の掘込刃３には、回転軸線Ｃ１が位置する掘込刃３の中途部から本体ケース２の外側に延びる外側部位３２と、中途部から本体ケース２の内側に延びる内側部位３３と、がある。
【００２７】
掘込刃３の外側部位３２は、本体ケース２の開口部１１の下方に位置する。外側部位３２の先端は、前述した掘込刃３の刃先３１である。
掘込刃３の内側部位３３は、本体ケース２内において開口部１１の後側開口縁部２２よりも進行方向後側に位置するケース底部１３の上方に位置する。内側部位３３の先端３４は、前述した本体ケース２の円筒内面１５の近くに位置する。内側部位３３の先端３４と本体ケース２の円筒内面１５との間隔は、小さい方がより好ましい。ここで、本体ケース２の円筒内面１５は掘込刃３の回転軸線Ｃ１を中心として形成されている。これにより、掘込刃３を回転させた際には、内側部位３３の先端３４は本体ケース２の円筒内面１５に沿って移動する。
【００２８】
図２，３に示すように、一対の側壁部４，４は、掘込刃３の幅方向両端から少なくとも本体ケース２の開口部１１まで延びている。すなわち、上下方向において掘込刃３の幅方向両端と本体ケース２の開口部１１との隙間が、一対の側壁部４，４によって覆われている。
本実施形態において、各側壁部４，４は、掘込刃３の回転位置に関わらず本体ケース２から離れて位置しないように、開口部１１から本体ケース２内に入り込んでいる。また、各側壁部４，４は、本体ケース２内において本体ケース２の各内側面１６，１６に重ねて配されている。
【００２９】
側壁部４は、掘込刃３のうち少なくとも外側部位３２に対して設けられればよいが、本実施形態では内側部位３３を含む掘込刃３全体に対して設けられている。具体的に、本実施形態の側壁部４は、幅方向から見て掘込刃３の回転軸線Ｃ１を中心とする略半円状に形成されている（特に図３参照）。
略半円状に形成された側壁部４の周縁４１は、本体ケース２の円筒内面１５の近くに位置する。側壁部４，４の周縁４１と本体ケース２の円筒内面１５との間隔は、小さい方がより好ましい。
【００３０】
本実施形態では、掘込刃３を本体ケース２に対して回転自在に取り付ける構造が、幅方向に重なる各側壁部４，４及び各ケース側壁部１８，１８に挿通される軸用ネジ３５及び軸用ネジ３５に螺着する軸用ナット３６によって構成されている。すなわち、本実施形態では、軸用ネジ３５が掘込刃３の回転軸として構成されている。
【００３１】
また、本実施形態の浚渫用構造体１は、本体ケース２の下方に位置する掘込刃３の刃先３１を上下方向における複数の所定位置に選択的に保持する保持機構６を備える。本実施形態の保持機構６は、本体ケース２に回転自在に取り付けられた掘込刃３を複数の回転位置に選択的に保持する。
具体的に、保持機構６は、幅方向において各側壁部４，４及び各ケース側壁部１８，１８に貫通する保持用孔６１，６２と、幅方向に重なる各側壁部４，４及び各ケース側壁部１８，１８の保持用孔６１，６２に挿通される保持用ネジ６３と、によって構成されている。各側壁部４，４及び各ケース側壁部１８，１８の保持用孔６１，６２は、回転軸線Ｃ１から径方向に互いに等しい距離だけ離れた位置に形成されている。保持用ネジ６３を各側壁部４，４及び各ケース側壁部１８，１８の保持用孔６１，６２に挿通させることで、掘込刃３を所定の回転位置に保持できる。
【００３２】
さらに、本実施形態では、側壁部４の保持用孔６１が回転軸線Ｃ１を中心とする周方向に間隔をあけて複数配列されている。保持用ネジ６３を、ケース側壁部１８の保持用孔６２、及び、側壁部４の複数の保持用孔６１のいずれか一つに挿通させることで、掘込刃３を複数の回転位置に選択的に保持することができる。
例えばケース側壁部１８の保持用孔６２が、回転軸線Ｃ１を中心とする周方向に間隔をあけて複数配列されても、同様にして、掘込刃３を複数の回転位置に選択的に保持することができる。
【００３３】
図１−３に示すように、前側延出部５は、本体ケース２の開口部１１の前側開口縁部２１から、進行方向前側に延びている。前側延出部５は、開口部１１の幅方向全体にわたって形成されている。
【００３４】
前側延出部５は、少なくとも開口部１１よりも進行方向前側において下方に向く面５１（下面５１）を有していればよい。前側延出部５の下面５１は、少なくとも前側開口縁部２１から進行方向前側に延びていればよい。前側延出部５の下面５１は、前側開口縁部２１に対して上下方向に若干ずれて位置してもよい。本実施形態では、上下方向における前側延出部５の下面５１の位置が前側開口縁部２１と略一致している。
【００３５】
本実施形態における前側延出部５の下面５１は、進行方向前側に平行して延びる平坦面領域５２を有する。平坦面領域５２は、上下方向に直交する面である。
また、前側延出部５の下面５１は、進行方向前側に向かうにしたがって上方に延びるように傾斜する傾斜面領域５３を有する。本実施形態において、平坦面領域５２と傾斜面領域５３とは、前側開口縁部２１から進行方向前側に順番に配列されている。前側延出部５の下面５１は、例えば平坦面領域５２及び傾斜面領域５３の一方のみを有してもよい。
【００３６】
前側延出部５の具体的な形状は任意であってよい。本実施形態の前側延出部５は、上下方向を厚さ方向とする板状に形成されている。前側延出部５のうち平坦面領域５２を含む部位は、図１に示すように上方から見た平面視で矩形状に形成されている。前側延出部５のうち傾斜面領域５３を含む部位は、平面視で進行方向前側に向かうにしたがって幅寸法が小さくなる形状（図示例では三角形状）に形成されている。
進行方向前側に位置する前側延出部５の先端には、後述する引張機構のロープを括り付けるリング部５４が設けられている。
【００３７】
図１，３に示すように、本実施形態の浚渫用構造体１は、後側延出部７をさらに備える。後側延出部７は、本体ケース２の開口部１１の後側開口縁部２２から、進行方向後側に延びている。後側延出部７は、開口部１１の幅方向全体にわたって形成されている。
【００３８】
後側延出部７は、少なくとも開口部１１よりも進行方向後側において下方に向く面７１（下面７１）を有していればよい。後側延出部７の下面７１は、少なくとも後側開口縁部２２から進行方向後側に延びていればよい。後側延出部７の下面７１は、後側開口縁部２２に対して上下方向に若干ずれて位置してもよい。本実施形態では、上下方向における後側延出部７の下面７１の位置が後側開口縁部２２と略一致している。
【００３９】
本実施形態における後側延出部７の下面７１は、進行方向後側に平行して延びている。すなわち、後側延出部７の下面７１は上下方向に直交する面である。
後側延出部７の具体的な形状は任意であってよい。本実施形態の後側延出部７は板状に形成されている。後側延出部７は、図１に示すように上方から見た平面視で矩形状に形成されている。本実施形態における後側延出部７の一部は、前述した本体ケース２のケース底部１３によって構成されている。
【００４０】
本実施形態の浚渫用構造体１において、本体ケース２の一部、前側延出部５及び後側延出部７は、図１−３に示すように、上方に開口する浅底のトレー８によって構成されている。トレー８は、トレー底板部８１と、トレー底板部８１の周縁から上方に延びるトレー周壁部８２と、を一体に形成して構成されている。トレー底板部８１は、本体ケース２のケース底部１３、前側延出部５及び後側延出部７を構成している。トレー周壁部８２は、本体ケース２のケース側壁部１８を構成している。本体ケース２の半円筒壁部１７は、トレー底板部８１上に配されている。また、掘込刃３及び一対の側壁部４，４は、軸用ネジ３５及び軸用ナット３６によってトレー周壁部８２に取り付けられている。
【００４１】
また、本実施形態の浚渫用構造体１は、吸込口１２に接続される吸込管１０１の一端の部分を進行方向後側から支持する管支持部９を備える。管支持部９は、例えば本体ケース２（ケース上部１４）に一体に形成されてもよいが、本実施形態では、トレー８から延びる腕部１０の先端に設けられている。
【００４２】
本実施形態の浚渫用構造体１において、本体ケース２の開口部１１は、進行方向における浚渫用構造体１の全長の中間よりも進行方向後側に位置している。また、掘込刃３も、開口部１１と同様に、進行方向における浚渫用構造体１の全長の中間よりも進行方向後側に位置している。浚渫用構造体１の全長は、少なくとも本体ケース２及び前側延出部５を含む長さであればよい。本実施形態における浚渫用構造体１の全長は、進行方向におけるトレー８の長さである。
【００４３】
以上のように構成される浚渫用構造体１は、例えば図４に示すように、本体ケース２の開口部１１や前側延出部５、後側延出部７の下面５１，７１が水底ＷＢに対向するように配される。吸込管１０１を介して浚渫用構造体１（本体ケース２）に接続される回収部１０２は、湖沼等の水面に浮かぶ台船１０３上に配される。
【００４４】
浚渫用構造体１を水底ＷＢにおいて進行させる構成は、任意であってよいが、本実施形態では浚渫用構造体１を引っ張る引張機構１０４である。引張機構１０４は、湖沼等の水辺に配される巻取部１０５と、巻取部１０５から浚渫用構造体１まで延びて浚渫用構造体１（例えばリング部５４）に取り付けられるロープ１０６と、を備える。巻取部１０５によってロープ１０６を巻き取ることで、浚渫用構造体１を水底ＷＢにおいて進行させることができる。
上記した吸込管１０１、回収部１０２、台船１０３、引張機構１０４は、浚渫用構造体１と共に、水底ＷＢの表層の泥土を浚い取る本実施形態の浚渫装置１００を構成する。
【００４５】
次に、本実施形態の浚渫用構造体１を含む浚渫装置１００により水底ＷＢの表層の泥土を浚い取る方法の一例について説明する。
浚渫用構造体１を水底ＷＢに配した状態で引張機構１０４によって浚渫用構造体１を進行方向前側（図４において左方向）に進行させると、水底ＷＢの表層の泥土が、掘込刃３によって削り取られ、掘込刃３上に載せられる。掘込刃３上の泥土は、開口部１１から本体ケース２内に回収されると共に、回収部１０２の吸引ポンプによって本体ケース２内から吸込管１０１を通って回収部１０２の回収容器に回収される。
【００４６】
以上説明したように、本実施形態の浚渫用構造体１によれば、掘込刃３の幅方向両端から本体ケース２の開口部１１まで延びる一対の側壁部４，４、及び、本体ケース２の開口部１１の前側開口縁部２１から進行方向前側に延びる前側延出部５を備える。このため、浚渫用構造体１を水底ＷＢにおいて進行させる際には、掘込刃３によって削られる水底ＷＢの表層の泥土が、本体ケース２や掘込刃３よりも進行方向前側に位置する前側延出部５によって覆われる。これにより、掘込刃３によって削られる水底ＷＢの表層の泥土が水中で舞い上がることを抑制できる。また、掘込刃３の幅方向両端に配された一対の側壁部４，４によって、掘込刃３上の泥土が掘込刃３の幅方向両端から水中にこぼれて舞い上がることも防止できる。したがって、泥土の水中への拡散を好適に抑制できる。
【００４７】
また、浚渫用構造体１を水底ＷＢにおいて進行させる際には、本体ケース２の開口部１１が、進行方向前側ではなく、水底側（下方）に向く。また、開口部１１よりも進行方向前側に位置する水底ＷＢの表層の泥土が前側延出部５によって覆われる。このため、開口部１１から本体ケース２内に水が入り込むことを好適に抑制できる。また、掘込刃３の幅方向両端と本体ケース２の開口部１１との隙間が一対の側壁部４，４によって覆われることで、水が本体ケース２の開口部１１との隙間から本体ケース２内に入り込むことも防止できる。以上のことから、掘込刃３によって削られた泥土と共に本体ケース２内に入り込む水の量を減らすことができる。したがって、泥土の回収率（水を含む回収量全体に対する泥土の回収割合）を向上できる。
【００４８】
また、本実施形態の浚渫用構造体１によれば、本体ケース２の下方に位置する掘込刃３の刃先３１が上下方向に移動可能とされている。特に、本実施形態の浚渫用構造体１では、掘込刃３が本体ケース２に対して回転自在に取り付けられていることで、掘込刃３の刃先３１が上下方向に移動可能とされている。このため、掘込刃３によって削り取られる泥土の表層の深さ（厚さ）を簡単に調整することができる。
【００４９】
さらに、本実施形態の浚渫用構造体１によれば、本体ケース２に対して回転自在に取り付けられた掘込刃３（特に外側部位３２）の幅方向両端から延びる一対の側壁部４，４が、開口部１１から本体ケース２内に入り込んでいる。このため、掘込刃３の回転位置に関わらず、一対の側壁部４，４と開口部１１との間に隙間が生じることを防止できる。したがって、掘込刃３が本体ケース２に対して回転自在に取り付けられても、掘込刃３上に載った泥土が、一対の側壁部４，４と開口部１１との隙間から水中にこぼれて舞い上がることを防止できる。また、水が一対の側壁部４，４と開口部１１との隙間から本体ケース２内に入り込むことも防止できる。
【００５０】
また、本実施形態の浚渫用構造体１によれば、掘込刃３の内側部位３３の先端３４が、本体ケース２の上部の円筒内面１５に沿って移動するように構成されている。このため、本体ケース２に対する掘込刃３の回転位置に関わらず、掘込刃３の内側部位３３の先端３４を円筒内面１５の近くに位置させることができる。これにより、掘込刃３によって削り取られた泥土が、掘込刃３上に載ったままで本体ケース２内に入り込んだ後、掘込刃３の内側部位３３の先端３４から本体ケース２内（例えばケース底部１３上）にこぼれ落ちることを抑制できる。また、吸込口１２が掘込刃３の上方に位置しているため、掘込刃３の内側部位３３上に載った泥土を、回収部１０２の吸引ポンプによって吸込口１２から本体ケース２外に効率よく排出することができる。以上のことから、本体ケース２内に回収された泥土が本体ケース２内において滞留することを好適に抑制できる。
【００５１】
さらに、本実施形態の浚渫用構造体１によれば、本体ケース２内に位置する側壁部４の部位が、本体ケース２（ケース側壁部１８）の内側面１６に重ねて配されている。また、幅方向から見て掘込刃３の回転軸線Ｃ１を中心とする半円状に形成された側壁部４の周縁４１が、本体ケース２の円筒内面１５の近くに位置する。これにより、掘込刃３上に載った泥土が、側壁部４と本体ケース２の内側面１６との間に入り込んで本体ケース２内に滞留してしまうことも好適に抑制できる。
【００５２】
また、本実施形態の浚渫用構造体１によれば、本体ケース２の開口部１１の後側開口縁部２２から進行方向後側に延びる後側延出部７をさらに備える。このため、浚渫用構造体１を水底ＷＢにおいて進行させる際には、掘込刃３よりも進行方向後側に位置する水底ＷＢが後側延出部７によって覆われる。したがって、掘込刃３よりも進行方向後側において水底ＷＢの泥土が舞い上がることを、後側延出部７によって抑えることができる。すなわち、泥土の水中への拡散をさらに抑制できる。
【００５３】
さらに、本実施形態の浚渫用構造体１によれば、水底ＷＢに対向する前側延出部５の下面５１が、進行方向前側に向かうにしたがって上方に傾斜する傾斜面領域５３を含む。このため、浚渫用構造体１の進行方向前側に水底ＷＢから突出する石等の障害物があっても、神職用構造体の進行に伴って傾斜面領域５３が障害物に当たることで、浚渫用構造体１の進行方向前側の部分が浮き上がる。これにより、浚渫用構造体１は障害物を乗り越えることができる。すなわち、浚渫用構造体１が障害物に引っ掛って浚渫用構造体１の進行が妨げられてしまうことを好適に抑制できる。
【００５４】
また、本実施形態の浚渫用構造体１によれば、本体ケース２の開口部１１は、進行方向における浚渫用構造体１の全長の中間よりも進行方向後側に位置する。このため、浚渫用構造体１を水底ＷＢにおいて進行させた際に、浚渫用構造体１の進行方向前端（前側延出部５の進行方向前端）が水底ＷＢの石に引っ掛る等して浮き上がっても、本体ケース２の開口部１１の浮き上がりを小さく抑えることができる。これにより、本体ケース２内に入り込む水の量をさらに減らすことができる。したがって、泥土の回収率の向上をさらに図ることができる。
【００５５】
さらに、本実施形態の浚渫用構造体１によれば、掘込刃３は、進行方向における浚渫用構造体１の全長の中間よりも進行方向後側に位置する。このため、浚渫用構造体１を水底ＷＢにおいて進行させた際に、浚渫用構造体１の進行方向前端が水底ＷＢの石に引っ掛る等して浮き上がっても、掘込刃３の刃先３１の浮き上がりを小さく抑えることができる。したがって、水底ＷＢの表層を安定して削ることができる。
【００５６】
以上、本発明の詳細について説明したが、本発明は上述した実施形態に限定されるものではなく、本発明の主旨を逸脱しない範囲において種々の変更を加えることができる。
【００５７】
本発明の浚渫用構造体において、掘込刃（特に本体ケースの下方に位置する外側部位）は、平板状に限らず、例えば湾曲した板状に形成されてもよい。
【００５８】
また、本発明の浚渫用構造体において、掘込刃は、例えば本体ケースに対して移動不能に取り付けられてもよいし、例えば本体ケースに一体に形成されてもよい。この場合、一対の側壁部は、例えば本体ケースの開口部の縁部（例えばケース側壁部）に固定されたり、一体に形成されたりしてよい。
【符号の説明】
【００５９】
１  浚渫用構造体
２  本体ケース
３  掘込刃
４  側壁部
５  前側延出部
６  保持機構
７  後側延出部
１１  開口部
１２  吸込口
１３  ケース底部
１４  ケース上部
１５  円筒内面
１６  内側面
１７  半円筒壁部
１８  ケース側壁部
２１  前側開口縁部
２２  後側開口縁部
３１  刃先（掘込刃３の延出方向先端）
３２  外側部位
３３  内側部位
５１  前側延出部５の下面
７１  後側延出部７の下面
１００  浚渫装置
１０１  吸込管
１０２  回収部
１０３  台船
１０４  引張機構
Ｃ１  回転軸線（軸線）
ＷＢ  水底
【図１】
2019120037.tif 000003
【図２】
2019120037.tif 000004
【図３】
2019120037.tif 000005
【図４】
2019120037.tif 000006